(57)【要約】【課題】こたつの脚及び支持杆に中質繊維材を使用した場合であっても、簡単に脚と支持杆との接合部を補強することができる補強具を提供する。【解決手段】補強具１は、一対の脚部を水平方向に連結する長尺の支持杆５５と脚部５３ａとの接合部４５を補強するものであって、該脚部５３ａに密着する鉛直面部５と該支持杆５５に密着する平面部７とを有する本体部３と、該鉛直面部５から水平方向に突出する第一突設部９と、該平面部７から垂直上方向に突出する第二突設部１１と、を含む。該本体部３は、該脚部５３ａと該本体部３とを固定する第一固定手段１３と、該支持杆５５と該本体部３とを固定する第二固定手段１５とを備える。該第一突設部９は、該脚部５３ａに水平方向に設けられた第一凹部５７に挿着する。該第一凹部５７は、該支持杆５５の下方に設ける。該第二突設部１１は、該支持杆５５の下面に鉛直方向に設けられた第二凹部５９に挿着する。 【選択図】図８
0003222322.tif 000002
【実用新案登録請求の範囲】
【請求項１】
一対の脚部を水平方向に連結する長尺の支持杆と脚部との接合部を補強する補強具であって、
該補強具は、該脚部に密着する鉛直面部と該支持杆に密着する水平面部とを有する本体部と、該鉛直面部から水平方向に突出する第一突設部と、該平面部から垂直方向に突出する第二突設部と、を備え、
該本体部は、該脚部と該本体部とを固定する第一固定手段と、該支持杆と該本体部とを固定する第二固定手段と、を備えることを特徴とする補強具。
【請求項２】
前記第一固定手段は、
前記本体部の鉛直面部から該本体部の略中央に達する孔と、該孔の該本体部内における端部に設けられる係止手段と、固定用杆とから構成され、
該固定用杆の一端は該孔に挿入され、該一端の近傍に備えるくびれ部が該係止手段にて係止され、
該固定用杆の他端は、前記脚部と固定されることを特徴とする請求項１記載の補強具。
【考案の詳細な説明】
【技術分野】
【０００１】
本考案は、こたつの一対の脚部を水平方向に連結する長尺の支持杆と該脚部との接合部を補強する補強具に関する。
【背景技術】
【０００２】
従来から、こたつの天板やこたつ布団を載せる枠部等を形成する支持杆と脚部とを固定する手段としてボルト等を用いた絞め付け具により固定していた。しかしながら、ＭＤＦ（中質繊維材）等の木材で脚や天板を載せる枠を形成する場合、ＭＤＦ（中質繊維材）の木材は柔らかいため、脚と支持杆との固定用ボルトを締め付きすぎると該固定用ボルトが抜けてしまい、脚と支持杆を固定できない。
【０００３】
そのため、例えば、特許文献１には、固い補強材に筒状ナットを取り付けることにより、脚を固定するボルトを閉めすぎても筒状ナットが抜け出てくることはなく、ＭＤＦ等の部材によっても、脚を十分に固定する脚取付装置が開示されている。しかしながら、特許文献１の装置は、固い補強材を使う必要があるなど、脚の固定が煩雑になるという問題がある。
【先行技術文献】
【特許文献】
【０００４】
【特許文献１】実開平４−１０１８１５号
【考案の概要】
【考案が解決しようとする課題】
【０００５】
本考案は、こたつの脚及び支持杆にＭＤＦ（中質繊維材）等の木材を使用した場合であっても、簡単に脚と支持杆との接合部を補強することができる補強具を提供する。
【課題を解決するための手段】
【０００６】
上記課題を解決する本考案は次の内容のものである。
【０００７】
一対の脚部を水平方向に連結する長尺の支持杆と脚部との接合部を補強する補強具であって、
該補強具は、該脚部に密着する鉛直面部と該支持杆に密着する水平面部とを有する本体部と、該鉛直面部から水平方向に突出する第一突設部と、該平面部から垂直方向に突出する第二突設部と、を備え、
該本体部は、該脚部と該本体部とを固定する第一固定手段と、該支持杆と該本体部とを固定する第二固定手段と、を備える。
【０００８】
前記第一固定手段は、
前記本体部の鉛直面部から該本体部の略中央に達する孔と、該孔の該本体部内における端部に設けられる係止手段と、固定用杆とから構成され、
該固定用杆の一端は該孔に挿入され、該一端の近傍に備えるくびれ部が該係止手段にて係止され、
該固定用杆の他端は、前記脚部と固定される。
【考案の効果】
【０００９】
本考案の補強具は、こたつの脚及び支持杆にＭＤＦ（中質繊維材）等の木材を使用した場合であっても、簡単に脚と支持杆との接合部を補強することができる
【図面の簡単な説明】
【００１０】
【図１】本考案の補強具の一例の概略を示す正面図である。
【図２】本考案の補強具の一例の概略を示す背面図である。
【図３】本考案の補強具の一例の概略を示す左側面図である。
【図４】本考案の補強具の一例の概略を示す右側面図である。
【図５】本考案の補強具の一例の概略を示す平面図である。
【図６】本考案の補強具の一例の概略を示す底面図である。
【図７】本考案の補強具の取り付け状態の一例を示す正面図である。
【図８】本考案の補強具の取り付け状態の一例を示す拡大正面断面図である。
【図９】本考案の第一固定手段の一例を示し、固定用杆が係止手段に係止される前の状態を示す拡大正面図である。
【図１０】本考案の第一固定手段の一例を示し、固定用杆が係止手段に係止される前の状態を示す拡大背面図である。
【図１１】本考案の第一固定手段の一例を示し、固定用杆が係止手段に係止される前の状態を示す拡大左側面図である。
【図１２】本考案の第一固定手段の一例を示し、固定用杆が係止手段に係止される前の状態を示す拡大右側面図である。
【図１３】本考案の第一固定手段の一例を示し、固定用杆が係止手段に係止される前の状態を示す拡大平面図である。
【図１４】本考案の第一固定手段の一例を示し、固定用杆が係止手段に係止される前の状態を示す拡大底面図である。
【図１５】本考案の第一固定手段の一例を示し、固定用杆が係止手段に係止される前の状態を示すＡ−Ａ断面図である。
【図１６】本考案の第一固定手段の一例を示し、固定用杆が係止手段に係止される前の状態を示すＢ−Ｂ断面図である。
【図１７】本考案の第一固定手段の一例を示し、固定用杆が係止手段に係止される前の状態を示すＣ−Ｃ断面図である。
【図１８】本考案の第一固定手段の一例を示し、固定用杆が係止手段に係止された状態を示す拡大正面図である。
【図１９】本考案の第一固定手段の一例を示し、固定用杆が係止手段に係止された状態を示す拡大背面図である。
【図２０】本考案の第一固定手段の一例を示し、固定用杆が係止手段に係止された状態を示す拡大左側面図である。
【図２１】本考案の第一固定手段の一例を示し、固定用杆が係止手段に係止された状態を示す拡大右側面図である。
【図２２】本考案の第一固定手段の一例を示し、固定用杆が係止手段に係止された状態を示す拡大平面図である。
【図２３】本考案の第一固定手段の一例を示し、固定用杆が係止手段に係止された状態を示す拡大底面図である。
【図２４】本考案の第一固定手段の一例を示し、固定用杆が係止手段に係止された状態を示すＤ−Ｄ断面図である。
【図２５】本考案の第一固定手段の一例を示し、固定用杆が係止手段に係止された状態を示すＥ−Ｅ断面図である。
【図２６】本考案の第一固定手段の一例を示し、固定用杆が係止手段に係止された状態を示すＦ−Ｆ断面図である。
【図２７】本考案の補強具を用いた組み立て方法の第一手順を示す斜視図である。
【図２８】本考案の補強具を用いた組み立て方法の第二手順を示す斜視図である。
【図２９】本考案の補強具を用いた組み立て方法の第三手順を示す斜視図である。
【考案を実施するための形態】
【００１１】
以下、本考案の実施の形態の例について図を参照しながら説明する。尚、本考案は、以下の形態の例に限定されるものではない。
【００１２】
図１〜７のとおり、本考案の補強具１は、こたつ５１に用い、一対の脚部５３ａと脚部５３ｂとを水平方向に連結する長尺の支持杆５５と脚部５３ａ又は脚部５３ｂとの接合部４５を補強するものである。
【００１３】
該補強具１は、該脚部５３ａ又は脚部５３ｂに密着する鉛直面部５と該支持杆５５に密着する平面部７とを有する本体部３と、該鉛直面部５から水平方向に突出する第一突設部９と、該平面部７から垂直方向に突出する第二突設部１１と、を含む。
【００１４】
該本体部３は、該脚部５３ａと該本体部３とを固定する第一固定手段１３と、該支持杆５５と該本体部３とを固定する第二固定手段１５とを備える。
【００１５】
該第一突設部９は、該脚部５３ａに水平方向に設けられた第一凹部５７に挿着する。該第一凹部５７は、該支持杆５５の下方に設ける。該第二突設部１１は、該支持杆５５の下面に鉛直方向に設けられた第二凹部５９に挿着するものとする（図８参照）。
【００１６】
第一固定手段１３により該補強具１と脚部５３a又は５３ｂとが強く固定され、第二固定手段１５により該補強具１と支持杆５５とが固定されることにより、脚部５３a（５３ｂ）と支持杆５５との接合部４５は該補強具１により補強される。該第一突設部９を該脚部５３ａ，ｂの第一凹部５７に挿入し、該第二突設部１１が該支持杆５５の第一凹部５７に挿入することにより、補強具１を所望の位置に備えさせることが容易になる。
【００１７】
該第一固定手段１３は、一例として、該本体部３の鉛直面部５から該本体部３の略中央に達する孔３３と、固定用杆２３と、係止手段２９と、から構成される。該固定用杆２３は先端部４１と該先端部４１の近傍に備えるくびれ部２５とを備える。該固定用杆２３の先端部４１は、該孔３３に挿入される。該孔３３の該本体部３の内部における端部には、係止手段２９が設けられており、該固定用杆２３のくびれ部２５が該係止手段２９にて係止されることにより、該固定用杆２５と該本体部３とは固定される。（図８参照）。
【００１８】
該係止手段２９による固定用杆２３のくびれ部２５を係止する手段は、一例として、該係止手段２９に開口部３７を設け、該開口部３７に固定用杆２３の先端部４１を挿入する。該先端部４１は、該開口部３７の垂直面（係止部３１）に当接し、くびれ部２５は該開口部３７に達する。該開口部３７の下方には該くびれ部２５は通過可能であって該先端部４１は通過できない幅のくびれ部通過部３９を設ける。該係止手段２９を時計回りに約１８０度回転させることにより、該くびれ部通過部３９が該くびれ部２５を通過し、該係止部３１が該くびれ部２５を係止することにより該固定用杆２３と該係止手段２９とは固定される。一例として、係止手段２９の外面に凹部４７を設けドライバー等を用いて回転させる（図９〜２６参照）。
【００１９】
該固定用杆２５の他端は前記脚部５３ａと固定される。該固定用杆２３の他端を固定する手段は、一例として、該固定用杆２３の他端に雄ネジ体２７を備えさせ、該雄ネジ体２７を脚部５３ａに埋設された筒状ナット２１に螺合することにより、該固定用杆２３の他端を脚部５３ａに固定する。（図８参照）。
【００２０】
第二固定手段１５は、一例として、該本体部３の水平面部７に、該水平面部７と直交して該本体部３を貫通する雌ネジ体１７を設ける。該本体部３の下方から該雌ネジ体１７に雄ネジ体１９を螺合させ、該雄ネジ体１９が該本体部３を貫通して支持杆５５に達することにより、該補強具１と該支持杆５５とは固定される（図８参照）。
【００２１】
該補強具１は、合成樹脂で構成することにより、こたつ５１に取り付けた場合であっても使用中に該補強具１が加熱することがなく、該補強具１に肌に触れてもやけど等の危険のない安全なものとなる。
【００２２】
本考案の補強具１を用いたこたつ５１の脚部５３ａと支持杆５５との組み立て方法の一例について説明する。脚部５３ａと支持杆５５とは、ＭＤＦ（中質繊維材）の木材を用いるものとする。
【００２３】
第一の手順として、脚部５３ａを第一凹部５７、孔６３、６７が上になるようにし、孔６３に木ネジ６１を挿着する。その際、あらかじめ孔６３に少量の接着剤を充填しておくのが好ましい。孔６７には、筒状ナット２１を挿着する。該筒状ナット２１には、先端に雄ネジ体２７を備える固定用杆２３を螺合して固定する。支持杆５５の第二凹部５９に、補強具１の第二突設部１１を挿着する。その際、あらかじめ第二凹部５９に少量の接着剤を充填しておくのが好ましい。本体部３の透孔３５に、係止手段２９を挿嵌する（図２７参照）。
【００２４】
第二の手順として、本体部３の雌ネジ体１７に雄ネジ体１９を螺合させ、支持杆５５と補強具１とを固定する。補強具１が固定された支持杆５５の孔６５に木ネジ６１を挿着し、脚部５３ａの第一凹部５７に該補強具１の第一突設部９を挿着する。補強具１の孔３３に固定用杆２３を挿入し、支持杆５５と脚部５３ａを接合する。固定用杆２３のくびれ部２５は係止手段２９の開口部３７に達し、固定用杆２３の先端部４１は開口部３７の垂直面（係止部３１）に当接する（図２８、図９〜図１７参照）。
【００２５】
第三の手順として、係止手段２９を時計回りに約１８０度回転させることにより固定用杆２３のくびれ部２５を係止部３１に係止させ、脚部５３ａと補強具１とを固定する。係止手段２９にはカバー４３をかぶせてもよい（図２９参照）。
【符号の説明】
【００２６】
１  補強具
３  本体部
５  鉛直面部
７  水平面部
９  第一突設部
１１  第二突設部
１３  第一固定手段
１５  第二固定手段
１７  雌ネジ体
１９  雄ネジ体
２１  筒状ナット
２３  固定用杆
２５  くびれ部
２７  雄ネジ体
２９  係止手段
３１  係止部
３３  孔
３５  透孔
３７  開口部
３９  くびれ部通過部
４１  先端部
４３  カバー
４５  接合部
４７  凹部
５１  こたつ
５３ａ、ｂ  脚部
５５  支持杆
５７  第一凹部
５９  第二凹部
６１  木ネジ
６３  孔
６５  孔
６７  孔
【図１】
0003222322.tif 000003
【図２】
0003222322.tif 000004
【図３】
0003222322.tif 000005
【図４】
0003222322.tif 000006
【図５】
0003222322.tif 000007
【図６】
0003222322.tif 000008
【図７】
0003222322.tif 000009
【図８】
0003222322.tif 000010
【図９】
0003222322.tif 000011
【図１０】
0003222322.tif 000012
【図１１】
0003222322.tif 000013
【図１２】
0003222322.tif 000014
【図１３】
0003222322.tif 000015
【図１４】
0003222322.tif 000016
【図１５】
0003222322.tif 000017
【図１６】
0003222322.tif 000018
【図１７】
0003222322.tif 000019
【図１８】
0003222322.tif 000020
【図１９】
0003222322.tif 000021
【図２０】
0003222322.tif 000022
【図２１】
0003222322.tif 000023
【図２２】
0003222322.tif 000024
【図２３】
0003222322.tif 000025
【図２４】
0003222322.tif 000026
【図２５】
0003222322.tif 000027
【図２６】
0003222322.tif 000028
【図２７】
0003222322.tif 000029
【図２８】
0003222322.tif 000030
【図２９】
0003222322.tif 000031